(57)【要約】【課題】  一般的に鹿沼土に代表される無機質および有機質資材は，農地，林地，海域へ投与されることによって環境を改善することができるが，時間経過に伴い団粒化の促進や酸性土壌への移行の効果が低下していくことが広く知られている。これらの資材の持つ機能が低下することから，投与によって改善した環境を維持する為に，農地，林地，海域に対して、さらに同じ資材を投入し続けていた経緯がある。  また，投与する無機，有機資材については，その機能が低下すると廃材として処分に困っていた。【解決手段】  本発明は，木，草，残滓等の未分解の有機物を炭の製造過程で産出される極強酸性の酢液（有機酸）に木，草，残滓等の未分解の有機物を適量漬け込み，長期間養生することで製造される腐植液を用いて，機能低下している無機質資材又は有機質資材の機能を増進及び機能回復することを可能とした構成。【選択図】      図１
2014145016.tif 000002
【特許請求の範囲】
【請求項１】
木，又は草，又は野菜屑，又は落葉落枝の未分解の有機物を炭の製造過程で産出される極強酸性の木酢液，又は竹酢液（有機酸）に適量漬け込み，長期間養生することで製造される腐植液を用いて，無機又は有機物の機能を増進，回復させることを特徴とする無機質資材又は有機質資材の機能増進および機能回復方法。
【請求項２】
腐植液を対象となる無機質資材又は有機質資材の容量換算で１００％に対し，容量換算７０％以下の液体をしみ込ませることによって，腐植液の有機酸による化学的緩衝機能や還元機能，凝集効果による団粒化機能を付加するようにした請求項１記載の無機質資材又は有機質資材の機能増進および機能回復方法。
【請求項３】
腐植液は，水分量が８０％以上，有機酸含有量が１％以上のものを用いるようにした請求項１記載の無機質資材又は有機質資材の機能増進および機能回復方法。
【請求項４】
腐植液は，ｐＨ(Ｈ2Ｏ)５.０以下で電気伝導度が１.０ｍＳ／ｃｍ以上のものを用いるようにした請求項１記載の無機・有機資材の機能増進および機能回復方法。
【請求項５】
腐植液は，酸化還元電位で２５０ｍＶ以下の還元電位のものを用いるようにした請求項１記載の無機質資材又は有機質資材の機能増進および機能回復方法。
【請求項６】
腐植液は，粒径が１．０ｍｍ以下の固形物しか含まれていないものを用いるようにした請求項１記載の無機質資材又は有機質資材の機能増進および機能回復方法。
【請求項７】
腐植液は，その濃度を１０倍以上に希釈したものを用いるようにした請求項１記載の無機質資材又は有機質資材の機能増進および機能回復方法。
【請求項８】
腐植液は，木質系の有機質資材のみならず魚介類から抽出した酸性溶液を用いるようにした請求項１記載の無機質資材又は有機質資材の機能増進および機能回復方法。
【請求項９】
腐植液には，窒素，リン，カルシウム，マグネシウム，カリウム，ナトリウム，鉄，マンガン等のミネラルを添加することでミネラルの供給も可能とした請求項１記載の無機質資材又は有機質資材の機能増進および機能回復方法。
【発明の詳細な説明】
【技術分野】
【０００１】
本発明は，有機酸に木，草，残滓等の未分解の有機物を漬け込むことによって製造される腐植液によって，既存の無機および有機質資材の機能の増進および回復することを可能としたものである。機能を増進および回復する無機質資材については，鹿沼土，又は赤玉土，又はマサ土，又はゼオライト，又は軽石（スコリア），又はマサ土があり，有機質資材については，ピートモス，又はココピート，又は草炭，又は泥炭，又はバーク堆肥，又は炭がある。
【背景技術】
【０００２】
一般的に鹿沼土に代表される無機質および有機質資材は，農地，林地，海域へ投与されることによって環境を改善することができるが，時間経過に伴い団粒化の促進や酸性土壌への移行の効果が低下していくことが広く知られている。これらの資材の持つ機能が低下することから，農地，林地，海域に対して更に同じ資材を投入し続けて改善した環境を維持していた経緯がある。
また，投与する無機質，有機質資材については，その機能が低下すると廃材として処分に困っていた。
【先行技術文献】
【特許文献】
【０００３】
【特許文献１】特開平１１―０９０４７８公開公報
【特許文献２】特開平１１−０９０４６８公開公報
【発明の概要】
【発明が解決しようとする課題】
【０００４】
上記の特許文献１は、有機性廃水を、脱臭も含めて、植物に有害な成分を消失させた処理水と、有益微生物を保持育成する団粒の多い処理汚泥することにより、短時間で安全に土に戻すことができる腐植ペレットによる有機性廃水の処理方法を提供するものであるが、先ず特許文献１の内容が有機性廃水の処理方法であるのと比較すると，本発明は無機質資材，又は有機質資材に腐植液をしみ込ませることによって，その資材そのものの性質を改善して用いることを主目的にしていることに大きな違いがある。また，微生物を用いないことも異なっている。
特許文献２は、有機廃棄物中の有機物の生物学的な分解能力が高い共に、有機物から発生する悪臭を減少または除去することができる微生物材料を提供するものであるが、本発明では微生物群を利用しないことに大きな違いがある。
また，特許文献２の発明は，有機物から発生する悪臭を無くすことに主眼が置かれた発明であり，本発明で無機質資材又は有機質資材に腐植液をしみ込ませることによって，その資材そのものの性質を改善して用いることを主目的にしているのとは大きな違いがある。
【０００５】
そこで，本発明は，木，草，残滓等の未分解の有機物を炭の製造過程で産出される極強酸性の酢液（有機酸）に木，草，残滓等の未分解の有機物を適量漬け込み，長期間養生することで製造される腐植液を用いて，機能低下している無機質資材又は有機質資材の機能を増進すること，及び／又は機能を回復することを可能としたものである。
【課題を解決するための手段】
【０００６】
本発明の第１は，有機酸によって製造された腐植液を用いた無機・有機資材の機能増進および機能回復方法において,木，草，残滓等の未分解の有機物を炭の製造過程で産出される極強酸性の酢液（有機酸）に適量漬け込み，長期間養生することで製造される腐植液を用いて，無機又は有機物の機能を増進及び／又は機能回復できるようにしたものである。
【０００７】
本発明の第２は，第１の発明に係る有機酸によって製造された腐植液を用いた無機・有機資材の機能増進および機能回復方法において,腐植液を対象となる無機質資材又は有機質資材の容量換算で１００％に対し，容量換算７０％以下の液体をしみ込ませることによって，腐植液の有機酸による化学的緩衝機能や還元機能，凝集効果による団粒化機能を付加したことにある。
【０００８】
本発明の第３は，第１の発明に係る有機酸によって製造された腐植液を用いた無機質資材又は有機資材の機能増進および機能回復方法において,腐植液は，水分量が８０％以上，有機酸含有量が１．０％以上のものを用いるようにしたことにある。
【０００９】
本発明の第４は，第１の発明に係る有機酸によって製造された腐植液を用いた無機質資材又は有機質資材の機能増進および機能回復方法において,腐植液は，ｐＨ(Ｈ2Ｏ)５.０以下で電気伝導度が１.０ｍＳ／ｃｍ以上のものを用いるようにしたことにある。
【００１０】
本発明の第５は，第１の発明に係る有機酸によって製造された腐植液を用いた無機質資材又は有機質資材の機能増進および機能回復方法において,腐植液は，酸化還元電位で２５０ｍＶ以下の還元電位のものを用いるようにしたことにある。
【００１１】
本発明の第６は，第１の発明に係る有機酸によって製造された腐植液を用いた無機質資材又は有機質資材の機能増進および機能回復方法において,腐植液は，粒径φが１．０ｍｍ以下の固形物しか含まれていないものを用いるようにしたことにある。
【００１２】
本発明の第７は，第１の発明に係る有機酸によって製造された腐植液を用いた無機質資材又は有機質資材の機能増進および機能回復方法において,腐植液は，その濃度を１０倍以上に希釈したものを用いるようにしたことにある。
【００１３】
本発明の第８は，第１の発明に係る有機酸によって製造された腐植液を用いた無機質又は有機質資材の機能増進および機能回復方法において,腐植液は，木質系の有機質資材のみならず，魚介類から抽出した酸性溶液を用いるようにしたものである。
【００１４】
本発明の第９は，第１の発明に係る有機酸によって製造された腐植液を用いた無機質又は有機質資材の機能増進および機能回復方法において,腐植液には，窒素，リン，カルシウム，マグネシウム，カリウム，ナトリウム，鉄，マンガン等のミネラルを添加することでミネラルの供給も可能としたものである。
【発明の効果】
【００１５】
本発明は上記の構成であることから，次の効果がある。
木，草，残滓等の未分解の有機物を炭の製造過程で産出される極強酸性の酢液（有機酸）に適量漬け込み，長期間養生することで製造される腐植液を機能低下している無機質資材又は有機質資材に散布，添加することで，腐植液の有機酸による化学的緩衝機能や還元機能，凝集効果による団粒化機能を付加することが可能となる。
【００１６】
また，各々の資材の機能が上がるのに加えて，廃材の再生利用も可能となった。
【００１７】
そして，本発明にあっては，木，又は草，又は野菜屑，又は落葉落枝の未分解の有機物を炭の製造過程で産出される極強酸性の酢液（有機酸）に漬け込むことから，未分解の有機物も腐植化することから利用が可能であることにより廃棄物が発生しないので，周辺環境への負荷が少ないという効果がある。
【図面の簡単な説明】
【００１８】
【図１】図１は、本発明の実施工程を示す概略説明図である。
【発明を実施するための形態】
【００１９】
本発明に係る腐植液の利用形態は，次の２通りが考えられる。
すなわち，機能増進及び／又は回復する無機質資材又は有機質資材に対して容量換算で７０％以下の腐植液を散布，または，５時間以上漬け込むことによって，腐植液の化学的緩衝機能や還元機能，凝集効果による団粒化機能を加えることが可能である。
【００２０】
腐植液を無機質資材又は有機質資材にしみ込ませることにより，固体での利用が可能である。
【実施例１】
【００２１】
次に，本発明の実施例を説明する。図１において,１は無機質資材又は有機質資材であり,具体的には,無機質資材として,鹿沼土，又は赤玉土，又はマサ土，又はゼオライト，又は軽石（スコリア），又はマサ土がある。また,有機質資材としては，ピートモス，又はココピート，又は草炭，又は泥炭，又はバーク堆肥，又は炭があるが,本発明にあっては,木，又は草，木，又は草，又は野菜屑，又は落葉落枝の未分解の有機物が用いられている。上記の「未分解」とは、草，木などが朽ちたりせずに，その原型を留めていることを意味している。無機質資材においても同様である。
２は腐植液であり，粒径φが１．０ｍｍ以下の固形物しか含まれていないものを用いるものである。
【００２２】
上記の腐植液２は，水分量が８０％以上，有機酸含有量が１％以上のものを用いるようにしてある。当該「有機酸」は,具体的には木酢液，又は竹酢液を用いる。
また,腐植液２は，ｐＨ(Ｈ2Ｏ)５.０以下で電気伝導度が１.０ｍＳ／ｃｍ以上のものを用いる。
次いで,腐植液２は，酸化還元電位で２５０ｍＶ以下の還元電位のものを用いるようにしてある。
続いて,腐植液２は，粒径が１．０ｍｍ以下の固形物しか含まれていないものを用いるようにしてある。
さらに,腐植液２は，その濃度を１０倍以上に希釈したものを用いるようにしてある。
また,腐植液は，木質系の有機質資材のみならず魚介類から抽出した酸性溶液を用いるようにしてある。
そして,当該腐植液２には，窒素，リン，カルシウム，マグネシウム，カリウム，ナトリウム，鉄，マンガン等のミネラルを添加することでミネラルの供給も可能である。
【００２３】
３は容器であり,当該容器には,酢液を可とする有機酸を,無機質資材や有機質資材１を十分に漬け込める量で収容してある。
容器３に入っている腐植液２に無機質資材又は有機質資材１を漬け込む。その腐植液は，水分が８０％以上，有機酸含有量が１．０％以上でｐＨ(Ｈ2Ｏ)５.０以下，電気伝導度が１.０ｍＳ／ｃｍ以上のものを利用する。
【００２４】
「具体的な施工例における施工順序」
（１）  容器３に入れる無機質資材又は有機質資材１に対して，容量換算で５０％の腐植液２を混合する。
（２）  そして，容器３内に投入する当該無機質資材又は有機質資材を少なくとも５時間以上，腐植液２に漬け込んで養生期間をおく。
（３）  もう一つの方法では，無機質資材又は有機質資材１に対して，腐植液２を散布して含水率（％）で７０％以上となるまで散布を続ける。
【産業上の利用可能性】
【００２５】
本発明は，木，草，残滓等の未分解の有機物を炭の製造過程で産出される極強酸性の酢液（有機酸）に木，草，残滓等の未分解の有機物を適量漬け込み，長期間養生することで製造される腐植液を用いて，機能低下している無機質資材又は有機質資材の機能を増進および回復することが可能となった。
【符号の説明】
【００２６】
１…無機質資材又は有機質資材
２…腐植液（極強酸性木酢液又は竹酢液（有機酸））
３…容器
【図１】
2014145016.tif 000003
【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
木，又は草，又は野菜屑，又は落葉落枝の未分解の有機物を炭の製造過程で産出される極強酸性の有機酸である木酢液又は竹酢液に適量漬け込み，長期間養生することで製造される腐植液を無機質資材又は有機質資材にしみ込ませることにより，無機質資材又は有機質資材に腐植酸の機能である化学的緩衝能力や還元機能,凝集効果による団粒化の機能を付加することを特徴とする無機質資材又は有機質資材の機能増進および機能回復方法。
【請求項２】
腐植液を対象となる無機質資材又は有機質資材の容量換算で１００％に対し，容量換算７０％以下の液体をしみ込ませることによって，腐植液の有機酸による化学的緩衝機能や還元機能，凝集効果による団粒化機能を付加するようにした請求項１記載の無機質資材又は有機質資材の機能増進および機能回復方法。
【請求項３】
腐植液は，水分量が８０％以上，有機酸含有量が１％以上のものを用いるようにした請求項1記載の無機質資材又は有機質資材の機能増進および機能回復方法。
【請求項４】
腐植液は，ｐＨ（Ｈ２Ｏ）５．０以下で電気伝導度が１．０ｍＳ／ｃｍ以上のものを用いるようにした請求項１記載の無機・有機資材の機能増進および機能回復方法。
【請求項５】
腐植液は，酸化還元電位で２５０ｍＶ下の還元電位のものを用いるようにした請求項１記載の無機質資材又は有機質資材の機能増進および機能回復方法。
【請求項６】
腐植液は，粒径が１．０ｍｍ以下の固形物しか含まれていないものを用いるようにした請求項1記載の無機質資材又は有機質資材の機能増進および機能回復方法。
【請求項７】
腐植液は，その濃度を１０倍以上に希釈したものを用いるようにした請求項１記載の無機質資材又は有機質資材の機能増進および機能回復方法。
【請求項８】
腐植液は，木質系の有機質資材のみならず魚介類から抽出した酸性溶液を用いるようにした請求項１記載の無機質資材又は有機質資材の機能増進および機能回復方法。
【請求項９】
腐植液には，窒素，リン，カルシウム，マグネシウム，カリウム，ナトリウム，鉄，マンガン等のミネラルを添加することでミネラルの供給も可能とした請求項１記載の無機質資材又は有機質資材の機能増進および機能回復方法。
【手続補正２】
【補正対象書類名】明細書
【補正対象項目名】０００１
【補正方法】変更
【補正の内容】
【０００１】
本発明は，極強酸性の有機酸である木酢液，又は竹酢液に木，草，残滓等の未分解の有機物を漬け込むことによって製造されるのが腐植液であり，機能を改善する有機物も同じ有機物である。しかし，未分解の有機物を有機酸に漬けることで，腐植液ができ，その腐植液を未分解の有機物にしみ込ませると機能が高めることができる。つまり，有機酸は，未分解の有機物と反応して腐植変化するのである。
【手続補正３】
【補正対象書類名】明細書
【補正対象項目名】００１５
【補正方法】変更
【補正の内容】
【００１５】
本願発明は上記の構成であることから，次の効果がある。
すなわち，極強酸性の有機酸である木酢液，又は竹酢液に木，草，残滓等の未分解の有機物を漬け込むことによって製造されるのが腐植液であり，機能を改善する有機物も同じ有機物である。しかし，未分解の有機物を有機酸に漬けることで，腐植液ができ，その腐植液を未分解の有機物にしみ込ませると機能が高める効果がある。つまり，有機酸は，未分解の有機物と反応して腐植変化するのである。
【手続補正４】
【補正対象書類名】明細書
【補正対象項目名】００２１
【補正方法】変更
【補正の内容】
【００２１】
次に，本発明の実施例を説明する。図１において，１は無機質資材又は有機質資材であり，具体的には，無機質資材として，鹿沼土，又は赤玉土，又はマサ土，又はゼオライト，又は軽石（スコリア），又はマサ土がある。また，有機質資材としては，ピートモス，又はココピート，又は草炭，又は泥炭，又はバーク堆肥，又は炭があるが，本発明にあっては，木，又は草，木，又は草，又は野菜屑，又は落葉落枝の未分解の有機物が用いられている。同じ未分解の有機物原料であっても，最初の有機資材は腐植液を作る原料で，後の有機物はそれをしみ込ませて機能を高める資材となる。上記の「未分解」とは、草，木などが朽ちたりせずに，その原型を留めていることを意味している。無機質資材においても同様である。
２は腐植液であり，粒径φが１．０ｍｍ以下の固形物しか含まれていないものを用いるものである。